(57)【要約】  【課題】  従来の列車表示システムでは、車両内の全ての表示部で同じ内容を表示している。また、画面を分割して表示したり、それぞれの表示部で違う内容を表示したりすることができず、効率的な情報配信を行えない。  【解決手段】  移動体内に配置された移動体内情報サーバと、移動体内の所定の場所に配置された複数の表示装置を有し、上記移動体内情報サーバは、上記複数の表示装置に表示する配信情報を記憶する記録サーバと上記記録サーバを制御する第１の制御部を有し、上記複数の表示装置の各々は、表示部と該表示部を制御する第２の制御部を有し、上記記録サーバには、上記複数の表示部に表示情報を表示するための制御情報と表示データを有する配信情報テーブルを記憶し、上記配信情報テーブルに基づいて上記表示データを上記表示部に１画面表示あるいは複数画面表示するように構成される。【選択図】  図１
2008160204.tif 000002
【特許請求の範囲】
【請求項１】
移動体内に配置された移動体内情報サーバと、移動体内の所定の場所に配置された複数の表示装置と、上記移動体内情報サーバと上記複数の表示装置を結合する伝送路を有し、上記移動体内情報サーバは、上記複数の表示装置に表示する配信情報を記憶する記録サーバと上記記録サーバを制御する第１の制御部を有し、上記複数の表示装置の各々は、表示部と該表示部を制御する第２の制御部を有し、上記記録サーバには、上記複数の表示部に表示情報を表示するための制御情報と表示データを有する配信情報テーブルを記憶し、上記配信情報テーブルに基づいて上記制御情報と上記表示データを上記複数の表示装置のそれぞれの第２の制御部に配信し、上記第２の制御部は、上記制御情報に基づいて上記表示データを上記表示部に１画面表示あるいは複数画面表示することを特徴とする移動体内情報配信システム。
【請求項２】
請求項１記載の移動体内情報配信システムにおいて、上記複数の表示装置は、それぞれ１つの表示部を有し、上記複数の表示装置の少なくとも１つの表示部は、同じ表示データを表示し、上記複数の表示装置の少なくとも他の１つの表示部は、画面を分割され、それぞれに異なる表示データを表示することを特徴とする移動体内情報配信システム。
【請求項３】
請求項１記載の移動体内情報配信システムにおいて、上記表示部は、２つの表示部を有し、上記第２の制御部の制御に基づいて、それぞれ異なる表示データを表示することを特徴とする移動体内情報配信システム。
【請求項４】
請求項１記載の移動体内情報配信システムにおいて、上記移動体内情報サーバは、更に無線回線と接続される無線送受信部を有し、上記無線送受信部は、移動体外に配置された情報サーバ装置から上記制御情報と上記表示データを受信し、上記移動体内情報サーバの上記記録サーバに蓄積することを特徴とする移動体内情報配信システム。
【発明の詳細な説明】
【技術分野】
【０００１】
本発明は、移動体内情報配信システムに関し、特に、移動体内に設けられた情報サーバ内に蓄積された動画や静止画等の画像を移動体内の表示部に複合的に表示させる移動体内情報配信システムに関するものである。
【背景技術】
【０００２】
従来、ニュース、天気予報、列車の運行情報や乗り換え案内、広告等を画像データとして表示する装置を備えている移動車両がある。これらニュース、天気予報、列車の運行情報や乗り換え案内、広告等の情報は、ＣＤ−ＲＯＭ（Compact Disc-ROM）、光デイスク、半導体メモリ等の記録媒体に記録されており、移動車両内では、そのＣＤ−ＲＯＭ、光デイスク、半導体メモリ等の記録媒体から情報を再生して、ニュース、天気、列車の運行情報や乗り換え案内、広告等の情報を移動車両内に設置された複数の液晶ディスプレイなどの表示部に表示し、列車内の乗客への情報配信、広告配信を行っている。なお、以下の説明では、ニュース、天気予報、列車の運行情報や乗り換え案内、広告等の情報を配信情報と称することにする。
【０００３】
このような移動車両の場合、例えば、１つの車両内の内側壁面に複数の表示装置が配置され、列車内での情報配信は、液晶ディスプレイ等の表示部を用いて、動画や静止画等の画像データを配信している。また、表示される画像データは、移動車両内の複数の表示装置には、同じ画像データが表示されている。そして、こういった情報配信は、列車という不特定多数の人が利用する密閉空間において、乗車中の時間を有意義にするためのサービスとして非常に有用なものであり、特に広告配信は、動画や静止画を用いることで、中吊り広告などの紙面を用いた広告以上に宣伝効果がある。なお、列車等の移動車両とは、列車車両、バス、飛行機、船舶等の人の移動手段として使用されるもので、以下、これらを移動体または移動体車両と称する。
【０００４】
これら複数の表示装置を移動体車両内に備えた従来の移動体内情報配信システム、例えば、列車表示システムについて図８を用いて説明する。図８は、従来の列車表示システムの概念を示すブロック図である。図８において、８０１は、列車内に配信する配信情報を記録した、例えば、ＣＤ−ＲＯＭを再生する為のＣＤドライブ、８０２−１、８０２−２、８０２−３は、ＣＤドライブ８０１が再生した情報を表示する為の液晶ディスプレイ等の表示部である。なお、表示部を代表する場合は、表示部８０２と称する。これら表示部８０２は、移動体車両の複数の場所に設置され、乗客等に配信情報として動画や静止画等の画像データをサービスしている。８０３は、ＣＤドライブ８０１からの情報（画像データともいう。）を表示部８０２に配信するためのケーブル等の伝送路である。
【０００５】
而して、上述した従来の列車表示システムでは、列車の乗務員が配信情報を記録した記録媒体、例えば、ＣＤ−ＲＯＭをＣＤドライブ８０１で再生し、その再生情報は、ＣＤドライブ８０２に接続された伝送路８０３を介して複数の表示部８０２に配信され、表示される。従って、移動体車両内の乗客は、複数の表示部８０２に表示された配信情報、即ち、ニュース、天気予報、列車の運行情報や乗り換え案内、広告等のサービスを受けることができる。しかしながら、図８に示される従来の列車表示システムは、移動体車両内に配置された複数の表示部に表示される情報は、全て同じ内容の画像データが配信されている。
【０００６】
さて、このような従来の列車表示システムでは、予め表示したい画像データをＣＤ−ＲＯＭなどの記録媒体に記憶しておき、その記録媒体を移動体車両に乗務する乗務員あるいは駅員が移動体車両内に持込んで、移動体車両内に備えられた再生装置、例えば、ＣＤドライブ８０１にセットして再生する方法である。これら再生装置は、例えば、移動体車両の運転席や車掌室などに配置されており、乗務員や駅員が記録媒体を交換することで、配信情報を更新あるいは変更することができる。なお、配信情報には、スポーツニュースやテレビコマーシャルのような動画や静止画といった画像データやニュースなどの文字データも含まれている。
【０００７】
更に、最近では、ニーズやサービスの多様化により移動体車両内の複数の表示部に異なる配信情報を表示することも行われている。この方法について図９を用いて説明する。図９は、従来の他の列車表示システムの一例の概略構成を示す図であり、車両内に配置される複数の表示部に異なる、例えば、２種類の配信情報を表示する場合の例を示している。図９において、９０１は、例えば、列車一両の内部を示している。９０２−１、９０２−２は、例えば、２台のＣＤドライブを示している。ＣＤドライブ９０２−１は、例えば、広告に関する配信情報を再生するＣＤドライブであり、ＣＤドライブ９０２−２は、例えば、運行情報に関する配信情報を再生するＣＤドライブである。９０３−１、９０３−２、９０３−３、９０４−１、９０４−２、９０４−３は、それぞれ列車のドア９０５−１、９０５−２、９０５−３の上部に設置された液晶ディスプレイ等の表示部である。
【０００８】
９０６−１、９０６−２は、配信情報を伝送するケーブル等の伝送路である。伝送路９０６−１は、ＣＤドライブ９０２−１からの広告に関する配信情報を表示部９０３−１、９０３−２、９０３−３に伝送し、表示部９０３−１、９０３−２、９０３−３に広告に関する配信情報を表示する。伝送路９０６−２は、ＣＤドライブ９０２−２からの運行情報に関する配信情報を表示部９０４−１、９０４−２、９０４−３に伝送し、表示部９０４−１、９０４−２、９０４−３に運行情報に関する配信情報を表示する。このように従来の列車表示システムでは、異なる２種類の配信情報を表示する場合、列車のドアの上部などのスペースにそれぞれ２台の表示部を設置し、異なるＣＤドライブから再生される別々の配信情報を異なる伝送路でそれぞれ配信する方法が取られている。
【０００９】
以上説明したように従来の列車表示システムでは、列車内の乗客への情報配信を配信する場合、表示部は、単にＣＤ−ＲＯＭの内容を表示するだけなので、車両内のすべての表示部は、同じ内容を表示することしか出来ない。特に配信情報を画面分割して表示したり、それぞれの表示部で、違う内容を表示したりすることが出来ない為、効率的な情報配信を行うことができない。また、例えば、女性専用車両といった車両内でも、他の車両と同様の内容の広告配信をすることしか出来ない為、女性専用車両には、女性向けの、例えば、広告配信を行うといった効果的な広告も行うことが出来ない。このように乗客への効率的な情報提供、効果的な広告配信を行えず、満足のいくサービスが行えていないのが現状である。また、複数の表示部に異なる情報を配信する場合には、その情報の数だけの列車表示システムを列車内に設ける必要があり、機器の数、配線、施工等でコストが高くなる等のため、安価で操作が簡単で、かつ、ニーズやサービスの多様化に容易に対応できる移動体内情報配信システムの実現が望まれている。
【００１０】
【特許文献１】特開２００２−１５２１５６号公報
【発明の開示】
【発明が解決しようとする課題】
【００１１】
従来の列車表示システムでは、表示部は、単にＣＤ−ＲＯＭの内容を表示するだけで、車両内の全ての表示部は、同じ内容を表示することしか出来ない。特に広告配信時は、画面を分割して表示したり、それぞれの表示部で違う内容を表示したりすることが出来ないため、効率的な広告配信を行えない。また、女性専用車両といった車両内でも、全ての車両と同じ内容の広告配信をすることしか出来ない為に、女性専用車両には女性向けの広告配信を行うといった効果的な広告も行うことが出来ない。更に、複数の表示部に異なる情報を配信する場合には、その情報の数だけの列車表示システムを列車内に設ける必要があり、機器の数、配線、施工等でコストが高くなる等のため、安価で操作が簡単で、かつ、ニーズやサービスの多様化に容易に対応できる移動体内情報配信システムの実現が望まれている。
【００１２】
本発明の目的は、ニーズやサービスの多様化に容易に対応して、配信情報が配信できる移動体内情報配信システムを提供することである。
【００１３】
本発明の他の目的は、複数の表示部に異なる配信情報を表示できる移動体内情報配信システムを提供することである。
【００１４】
本発明の更に他の目的は、管理センタから無線回線で移動体に配信情報を送信できる移動体内情報配信システムを提供することである。
【課題を解決するための手段】
【００１５】
本発明の移動体内情報配信システムは、移動体内に配置された移動体内情報サーバと、移動体内の所定の場所に配置された複数の表示装置と、上記移動体内情報サーバと上記複数の表示装置を結合する伝送路を有し、上記移動体内情報サーバは、上記複数の表示装置に表示する配信情報を記憶する記録サーバと上記記録サーバを制御する第１の制御部を有し、上記複数の表示装置の各々は、表示部と該表示部を制御する第２の制御部を有し、上記記録サーバには、上記複数の表示部に表示情報を表示するための制御情報と表示データを有する配信情報テーブルを記憶し、上記配信情報テーブルに基づいて上記制御情報と上記表示データを上記複数の表示装置のそれぞれの第２の制御部に配信し、上記第２の制御部は、上記制御情報に基づいて上記表示データを上記表示部に１画面表示あるいは複数画面表示するように構成される。
【００１６】
また、本発明の移動体内情報配信システムにおいて、上記複数の表示装置は、それぞれ１つの表示部を有し、上記複数の表示装置の少なくとも１つの表示部は、同じ表示データを表示し、上記複数の表示装置の少なくとも他の１つの表示部は、画面を分割され、それぞれに異なる表示データを表示するように構成される。
【００１７】
また、本発明の移動体内情報配信システムにおいて、上記表示部は、２つの表示部を有し、上記第２の制御部の制御に基づいて、それぞれ異なる表示データを表示するように構成される。
【００１８】
また、本発明の移動体内情報配信システムにおいて、上記移動体内情報サーバは、更に無線回線と接続される無線受信部を有し、上記無線受信部は、移動体外に配置された情報サーバ装置から上記制御情報と上記表示データを受信し、上記移動体内情報サーバの上記記録サーバに蓄積するように構成される。
【発明の効果】
【００１９】
以上説明したように本発明によれば、一つの表示部内で異なる配信情報、例えば、広告配信と運行情報、ニュースと乗り換え案内といったような画面を分割して複合的な情報を表示したりすることが可能となる。また、１車両内に有る複数の表示部に、それぞれ違った内容の配信情報を表示することも出来る。また、女性専用車両にのみ女性向けの広告配信を行うといったことも出来る。従って、ニーズやサービスの多様化に容易に対応できる移動体内情報配信システムが実現できる特徴がある。また、管理センタから無線回線で移動体に配信情報を送信でき、乗務員や駅員が社内の記録媒体を交換するといったことも無くなり、低コストの移動体内情報配信システムが実現できる。
【発明を実施するための最良の形態】
【００２０】
以下、本発明の一実施例を図１〜図７を用いて説明する。図３は、本発明が適用される列車表示システムの一実施例を示すシステム図である。図３において、３０１は、配信情報を管理する管理センタ、３０２は、ＬＡＮ（Local Area Network）等の伝送路、３０３−１、３０３−２、・・・３０３−ｎは、無線中継局（無線中継局を代表する場合は無線中継局３０３と称する。）、３０４は、列車の線路、３０５は、列車を示している。管理センタ３０１には、後述する配信情報が蓄積されており、この配信情報は、伝送路３０２を介して無線中継局３０３に送信される。無線中継局３０３は、列車の線路３０４に沿って、例えば、駅等に配置され、列車３０５が列車の線路３０４を走行し、各無線中継局３０３の近傍を通過する際、例えば、無線回線で列車３０５の列車無線装置（これについては後述する。）が無線中継局３０３の何れかより送信される配信情報を受信し、列車３０５内の列車表示装置（これについても後述する。）に配信情報を表示するようになされている。なお、上記実施例では、列車表示システムとして説明するが、これに限られるものではなく、列車車両、バス、飛行機、船舶等の人の移動手段として使用されるものに適用できることはいうまでもない。以下、列車車両、バス、飛行機、船舶等を移動体または移動体車両と称する。
【００２１】
図４は、管理センタ３０１に設けられている情報サーバ装置４００の概略構成のブロック図を示す。図４において、情報サーバ装置４００は、入出力部４０１、インターネット等の伝送路と接続される回線接続部４０２、表示部４０３、ＣＰＵ等からなる制御部４０４（第３の制御部ともいう。）、外部記憶装置４０５、記憶装置４０６、回線接続部４０７および画像処理部４０９で構成されている。入出力部４０１は、情報サーバ装置４００を操作者が操作して、各種情報の配信、加工、入力等の操作を行う。なお、入出力部は、各種デイスク、ＶＴＲ等の媒体から読込む装置あるいは各種デイスク、ＶＴＲ等の媒体への配信情報の書込み装置等も含むものである。また、回線接続部（回線接続インターフェースともいう。以下同様である。）４０２は、インターネット等の伝送路から送られてくる配信情報を外部記憶装置４０５に接続する。また、回線接続部４０７は、情報サーバ装置４００を入出力端子４０８、伝送路３０２を介して無線中継局３０３に接続する。画像処理部４０９については後述する。また、外部記憶装置４０５と記憶装置４０６は、一体に構成した記憶装置とすることもできる。
【００２２】
外部記憶装置４０５には、列車表示システムの各種管理のための管理テーブル４１０、配信情報テーブル４１１および配信情報４１２が記憶されている。管理テーブル４１０は、情報サーバ装置４００が管理する種々の管理テーブル郡である。配信情報テーブル４１１は、情報サーバ装置４００から、例えば、回線接続部４０７を介して外部に配信する配信情報を一次記憶している。これについては後述する。配信情報４１２は、広告情報、お天気情報、列車の運行情報、その他情報サーバ装置４００から配信する配信情報、所謂、コンテンツ情報が記憶されている。この配信情報４１２は、インターネットから回線接続部４０２を介して送られてくる情報あるいは入出力部４０１から各種デイスク、ＶＴＲ等の媒体から読取られる情報が含まれる。
【００２３】
記憶装置４０６には、以下に説明する列車表示システムのコンテンツの管理を行うコンテンツ管理部４１３、各種表示部に配信情報を表示する表示処理部４１４、スケジューリング部４１５あるいは広告予約部４１６等の各種の機能的なプログラムが蓄積され、列車表示システムが最適に動作するように構成されている。
【００２４】
スケジューリング部４１５は、多数の列車内の複数の表示部に、例えば、列車の運行情報、お天気情報あるいは広告情報を、何時の列車の、どの車両に、何時から何時まで表示するか、あるいは、何時更新するか等の種々のスケジューリングを行うためのものである。また、広告予約部４１６は、広告依頼主からの依頼の受付、課金情報管理、依頼主の表示要求を選択し予約登録したりするものである。表示処理部４１４は、後述するような車内の表示部に表示する内容、表示形態等の各種表示処理を行うものであり、また、表示が正しく行われるかを予め表示部４０３に表示してチェックする機能も有している。
【００２５】
さて、管理センタ３０１に設けられている情報サーバ装置４００の外部記憶装置４０５の管理テーブル４１０には、例えば、表１に示すコンテンツテーブルが記憶されている。
【００２６】
【表１】
2008160204.tif 000003
【００２７】
表１において、例えば、コードＮｏ．００００１は、列車運行情報、コードＮｏ．０００１０は、お天気情報、・・・コードＮｏ．０１０００は、広告情報というように図３で示す列車表示システムにおいて配信される配信情報のコードを纏めたテーブルが記憶されている。
【００２８】
そして、情報サーバ装置４００の外部記憶装置４０５の配信情報４１２には、表２に示される列車運行情報テーブル、表３に示されるお天気情報テーブルあるいは表４に示される広告情報テーブル等が記憶されている。
【００２９】
【表２】
2008160204.tif 000004
【００３０】
表２は、列車運行情報テーブル（コードＮｏ．００００１）を示し、例えば、サブコードＮｏ．、路線名、時間、運行状況が蓄積されている。なお、この列車運行情報テーブルは、例えば、各交通機関の管理室から、例えば、インターネット等の伝送路、回線接続部４０２、制御部４０４を介して受信される。また、定期的に列車運行情報が更新されることはいうまでもない。
【００３１】
【表３】
2008160204.tif 000005
【００３２】
表３は、お天気情報テーブル（コードＮｏ．０００１０）を示し、例えば、サブコードＮｏ．、項目、天気概況が蓄積されている。なお、このお天気情報テーブルも、例えば、気象庁からインターネット等の伝送路、回線接続部４０２、制御部４０４を介して受信される。また、定期的にお天気情報テーブルも更新されることはいうまでもない。
【００３３】
【表４】
2008160204.tif 000006
【００３４】
表４は、広告情報テーブル（コードＮｏ．０１０００）を示し、例えば、サブコードＮｏ．、広告区間、時間指定、広告顧客名等が蓄積されている。この広告情報テーブルの作成には、前もって列車表示システムの管理者が広告顧客と協議して広告の内容、期間等を適宜スケジューリングする必要のあることはいうまでもない。
【００３５】
また、配信情報４１２に蓄積される配信情報は、列車運行情報テーブル、お天気情報テーブル、広告情報テーブルに限らず、ニュースや娯楽番組等、システムの目的、規模、構成に応じて種々のものが蓄積可能である。このようにして蓄積された配信情報は、例えば、管理センタ３０１の管理者が入力部を操作し、これらの情報を適宜加工して、配信情報を作成（これについては後述する。）し、回線接続部４０７から伝送路３０２を介して無線中継局３０３に送信する。
【００３６】
図５は、無線中継局３０３の概略構成のブロック図を示す。図５において、無線中継局３０３は、入出力端子５０１、各種のデータを受信する回線接続部５０２、受信した各種データを記憶する中継記憶部５０４と、記憶してある各種配信情報を送信データに変換し、送信する、あるいは、受信する無線送受信部５０５と、送受信するアンテナ５０６と、これら各ブロックを制御する中継制御部５０３を有している。そして、伝送路３０２から送られてくる配信情報は、入出力端子５０１、回線接続部５０２を介して中継記憶部５０４に記憶される。無線送受信部５０５では、中継記憶部５０４に記憶される配信情報を適宜送信データに変換し、アンテナ５０６から送信される。この無線中継局３０３は、線路３０４の近傍の任意の位置、例えば、駅構内に設置されて無線中継局３０３の付近を走行する列車３０５に対して配信情報を送信する。
【００３７】
図１は、本発明の一実施例の概略構成のブロック図を示し、図１（Ａ）は、本発明の移動体内情報配信システムの概略構成図を示す。図１（Ａ）において、１０１は、移動体内情報サーバ、１０２は、情報サーバ１０１からの配信情報を各表示装置１０３−１、１０３−２、１０３−３、・・・に配信するケーブル等の伝送路である。なお、表示装置を代表する場合は、表示装置１０３と称する。１０４−１、１０４−２、１０４−３、・・・は、表示装置１０３を制御する制御部、１０５−１、１０５−２、１０５−３、・・・は、表示部を示す。
【００３８】
図１（Ｂ）は、車両内に図１（Ａ）に示す移動体内情報配信システムを配置した場合の概念図を示す。図１（Ｂ）において、１１０は、車両、１１１は、車両１１０の乗務員室を示し、乗務員室１１１には、情報サーバ１０１が設置されている。また、車両１１０のドア１１２−１、１１２−２、１１２−３、・・・の上部スペースには、車両内表示装置１０３が設けられ、車内の乗客が情報サーバ１０１から車両内表示装置１０３に配信される配信情報のサービスを受けることができるようになされている。
【００３９】
図６は、本発明で用いられる車内情報サーバの一実施例の概略構成のブロック図を示す。図６に示す車内情報サーバは、アンテナ６０１、無線送受信部６０２、ＣＰＵ等の制御部６０３（第１の制御部ともいう。）、記録サーバ６０４、読取部６０５、操作表示部６０６、回線接続部６０７および入出力端子６０８で構成されている。無線中継局３０３から送信された送信データ（配信情報という。）をアンテナ６０１を介して無線送受信部６０２で受信する。受信した配信情報は、記録サーバ６０４に記録される。記録サーバ６０４に記録された配信データは、回線接続部６０７を介して入出力端子６０８、伝送路１０２を介して車内の表示装置１０３に適宜配信される。これについては後述する。制御部６０３は、車内情報サーバ１０１を制御するもので、乗務員あるいは駅員が操作表示部６０６を操作して、配信情報を適宜車内の表示装置に配信する。また、車内情報サーバ１０１は、送信データの受信の確認信号あるいは車内表示装置１０３への配信の有無等の情報を無線送受信部６０２を介して管理センタ３０１に送信することもできる。また、上記実施例では、乗務員あるいは駅員が操作表示部６０６を操作して、配信情報を適宜車内の表示装置に配信することで説明したが、制御部６０３が自動で配信するようにすることもできる。
【００４０】
なお、上記実施例で示す車内情報サーバ１０１は、無線中継局３０３から配信情報を無線回線で受信する場合について説明したが、これに限られるものではなく、予め車内で配信する配信情報をＣＤ−ＲＯＭ、光デイスク、半導体メモリ等の記録媒体に記録させ、この記録媒体を車内に持込み、読取部６０５で読取り、記録サーバ６０４に記録することもできる。この場合、読取部６０５は、ＣＤ−ＲＯＭ、光デイスク、半導体メモリ等の記録媒体を読取る装置で構成されることはいうまでもない。
【００４１】
図７は、本発明で用いられる車両内の表示装置の一実施例の概略構成のブロック図を示す。なお、図７は、車両内の各ドアの上部に設置される車両内表示装置１０３の１台のみ代表して示すが、他の構成もほぼこれと同じ構成である。図７において、７０１は、伝送路１０２に接続される入出力端子、７０２は、回線接続部、７０３は、制御部（第２の制御部ともいう。）、７０４は、記憶部である。なお、図１と同じものには、同じ符号が付されている。車内情報サーバ１０１から送信される配信情報、所謂、配信データは、回線接続部７０２を介して記憶部７０４に一時記憶される。この記憶部７０４は、例えば、ＲＡＭ（Random Access Memory）等の記憶部で構成され、制御部７０３からの制御信号に基づいて順次表示部１０５に配信情報が表示される。なお、表示方法については後述する。
【００４２】
次に、車両内への配信情報の表示方法について詳細に説明する。前述したように本発明の特徴は、例えば、１列車の車両毎に、あるいは、１車両の複数の表示部に異なる情報を配信することによってニーズやサービスの多様化に容易に対応できる移動体内情報配信システムを提供することである。従って、これについて具体的に説明する。配信情報を複数の表示装置に表示するためには、所定の編集機能が要求される。本発明では、例えば、管理センタ３０１に設けられている情報サーバ装置４００にこの機能が設けられている。なお、本発明の一実施例では、例えば、車両内の表示装置に異なる配信情報を表示する方法について説明するが、これに限られるものではなく、列車車両、バス、飛行機、船舶等の人の移動手段として使用される、所謂、移動体または移動体車両に適用できることはいうまでもない。
【００４３】
図２は、車両内の表示装置に異なる配信情報を表示する方法について説明するための図である。図２（Ａ）は、配信情報編集画面を表し、図２（Ｂ）は、表示装置の表示画面に表示する表示内容を示している。この配信情報編集画面２０１は、管理センタ３０１の管理者が入出力部４０１を操作して記憶装置４０６の、例えば、表示処理部４１４から読み出し、表示部４０３に表示した編集画面である。このような、配信情報編集画面２０１は、画面編集のために特にプログラムされている。
【００４４】
図２（Ａ）に示す配信情報編集画面２０１において、２０２は、列車番号表示部であり、配信情報を配信するための該当列車番号が表示されるようになされている。２０３は、該当列車番号を選択するボタンである。このボタンをマウスでクリックすると、例えば、表５に示す列車の運行予定表にリストアップされた列車が順次選択表示されるようになされている。例えば、図２（Ａ）では、列車番号表示部２０２に表示されている列車番号Ｘ１００１は、例えば、中央線の列車で、始発駅：東京、始発時間：０６：００、終着駅：高尾、車両数：１０両編成の列車が選択されることを示している。
【００４５】
【表５】
2008160204.tif 000007
【００４６】
２０４は、車両選択画面を示す。この車両選択画面２０４は、例えば、列車番号表示部２０２で選択された列車番号の車両を表示する。例えば、図２（Ａ）では、１号車を表示している。そして、ボタン２０５をマウスでクリックすると、１号車、２号車、３号車、・・・１０号車というように、車両番号Ｘ１００１の１０両編成の列車の所定の車両を選択表示することができる。２０６−１、２０６−２、２０６−３、２０６−４は、車両内に設置されている表示装置の表示画面を示している。即ち、１号車の表示装置の表示画面２０６−１は、図１（Ａ）の表示装置１０３−１の表示画面１０５−１が対応する。同様に、１号車の表示装置の表示画面２０６−２は、図１（Ａ）の表示装置１０３−２の表示画面１０５−２が対応する。以下同様である。なお、表示画面を代表する場合は、表示画面２０６と称する。２０７は、決定ボタン、２０８は、戻りボタンである。
【００４７】
そして、図２（Ａ）で示す本発明の一実施例では、１つの表示画面２０６を２つに分割して表示できるように前もって設計してある場合が示されている。例えば、１号車の表示装置の表示画面２０６−１は、２画面を区別する識別コードＡ１、Ａ２が付されている。同様に、１号車の表示装置の表示画面２０６−２は、２画面を区別する識別コードＢ１、Ｂ２が付されている。同様に、表示画面２０６−３は、２画面を区別する識別コードＣ１、Ｃ２が付され、表示画面２０６−４は、２画面を区別する識別コードＤ１、Ｄ２が付されている。このようにして、この配信情報編集画面２０１は、表５に示す列車管理テーブルに基づいて情報を配信する全ての列車と、それら列車の車内の表示画面を選択することができるようになされている。
【００４８】
次に、上述した配信情報編集画面２０１の表示画面２０６に配信情報を割付ける方法について説明する。まず、管理センタ３０１では、前もって、各列車および車両内の表示装置の表示部に何を配信し、表示するかの配信情報管理テーブルが作成され、情報サーバ装置４００の外部記憶装置４０５の管理テーブル４１１に記憶されている。この配信情報管理テーブルの一実施例を表６に示す。
【００４９】
【表６】
2008160204.tif 000008
【００５０】
表６は、例えば、車両番号Ｘ１００１の表示管理テーブルを示している。表６において、車両番号は、車両番号Ｘ１００１の１号車、２号車、・・・１０号車を示す。画面識別コードは、表示装置１０３の表示部１０５（図２（Ａ）の２０６に対応する。）の識別コードを示している。表示項目は、表示部１０５に配信する表示項目、コード番号は、表示するコンテンツの内容であり、表１〜表４に示したようなコードである。
【００５１】
従って、管理センタ３０１の操作者は、情報サーバ装置４００の表示部４０３に図２（Ａ）に示す配信情報編集画面を表示し、そして、入出力部４０１を操作して表６に示す列車番号Ｘ１００１の表示管理テーブルを参照し、例えば、１号車の各表示画面２０６にコード番号を入力する。入力方法は、例えば、キーボードからコード番号を入力することもできるが、表６のコード番号をマウスでドラッグ＆ドロップ操作により入力することもできる。図２（Ｂ）は、車両番号Ｘ１００１の表示画面２０６−１、２０６−２、２０６−３、２０６−４にコード番号を入力した状態を示している。そして、例えば、１号車から１０号車までの全ての表示画面への入力が完了すると、決定ボタンを押下することで、確定する。図２（Ｂ）において、例えば、１号車の表示装置１０３−１の表示画面２０６−１（１０５−１に相当する。）は、識別コードＡ１、Ａ２に１つの広告０１０００−００００１が表示されることを表している。即ち、広告０１０００−００００１は、表４から広告区間Ａ駅―Ｂ駅、時間は、５：００−１８：００、Ａデパートの広告が配信されることを示している。また、１号車の表示装置１０３−２の表示画面２０６−２（１０５−２に相当する。）の識別コードＢ１には、運行情報００００１−０００１０、即ち、表２に示す中央線の運行情報が表示されることを示している。識別コードＢ２には、お天気情報０００１０−０００１０、即ち、表３に示す各地のお天気情報が表示されることを示している。以下同様である。
【００５２】
さて、図２（Ａ）で示す配信情報編集画面で各列車の車両内の表示装置への配信情報が確定すると、情報サーバ装置４００の制御部４０４は、編集された配信情報を一旦外部記憶装置４０５の配信情報テーブル４１１に記憶する。これを表７の車両番号Ｘ１００１の配信情報テーブルとして示す。
【００５３】
【表７】
2008160204.tif 000009
【００５４】
表７は、例えば、図１（Ａ）に示す車両内の各表示装置１０３の表示部１０５に表示するための制御データおよび表示のための画像データを表している。例えば、列車番号Ｘ１００１の１号車の表示装置１０３−１の表示画面１０５−１には、コード番号０１０００−００００１の広告が表示される。ここで、列車番号：Ｘ１００１、車両番号：１号車、２号車、・・、画面識別コードＡ１、Ａ２，・・・、コード番号：０１０００−００００１、・・・等は、表示する形態、表示場所を制御するための制御情報である。また、表示内容の画像データは、ＤＡ１で示されている。この画像データＤＡ１は、例えば、配信情報４１２から適宜読み出され、画像処理部４０９で表示画面１０５に表示される形態に画像処理がなされた画像データである。以下、他の表示装置１０３の表示画面１０５のそれぞれについても同様である。
【００５５】
そして、列車等の運行が開始される前に制御部４０４は、外部記憶装置４０５の配信情報テーブル４１１から表７に示す列車番号Ｘ１００１の配信情報テーブルを読出し、回線接続部４０７、伝送路３０２、無線中継局３０３を介して、例えば、列車番号Ｘ１００１の車内情報サーバ１０１の記録サーバ６０４に書込まれる。
【００５６】
車内情報サーバ１０１では、記録サーバ６０４に書込まれた表７に示す配信情報テーブルに基づいて列車番号Ｘ１００１の車内の表示装置１０３に配信情報が配信される。即ち、制御部６０３は、記録サーバ６０４から配信情報を読出し、それぞれの表示装置１０７の制御部１０４に配信され、それぞれの記憶部７０４に一次記憶される。それぞれの記憶部７０４に記憶される制御情報および表示データを表８に示す。
【００５７】
【表８】
2008160204.tif 000010
【００５８】
表８は、車両内表示装置１０３の表示制御部１０４の記憶部７０４（記憶部１〜記憶部４で示す。）に一次記憶された制御情報および表示データを示している。例えば、１号車の車両内表示装置１０３−１の制御部１０４−１には、画面識別コードＡ１、Ａ２、コード番号０１０００−００００１、表示項目：広告およびデータＤＡ１が送信され、記憶部７０４（区別のため記憶部１と表示する。）に一旦記憶される。そして、１号車の車両内表示装置１０３−１の制御部１０４−１は、記憶部１から制御信号、画像データを読出し、表示部１０５−１に表示する。従って、１号車の車両内表示装置１０３−１では、表示画面１０５−１の全面（Ａ１とＡ２を合わせた画面）にＡデパートの広告がＡ駅―Ｂ駅区間で、時間５：００−１８：００の間表示さる。
【００５９】
同様に、１号車の車両内表示装置１０３−２の制御部１０４−２には、画面識別コードＢ１、コード番号００００１−００００１、表示項目：運行情報、データＤＡ２および画面識別コードＢ２、コード番号０００１０−０００１０、表示項目：お天気、データＤＡ３が送信され、記憶部７０４（区別のため記憶部２と表示する。）に一旦記憶される。そして、１号車の車両内表示装置１０３−２の制御部１０４−２は、記憶部２から制御信号、画像データを読出し、表示部１０５−２の画面識別コードＢ１には、運行情報が、また、画面識別コードＢ２には、お天気情報が表示される。以下同様である。このようにすると、表示部１０５には、全面に同一の画面を表示したり、あるいは、２分割して別々の画像を表示したりすることができるので、ニーズやサービスの多様化に容易に対応した配信情報が配信できる移動体内情報配信システムを実現することができる。
【００６０】
なお、上記実施例では、管理センタ３０１の情報サーバ装置４００から配信情報を送信する場合について説明したが、これに限られるものではなく、例えば、情報サーバ装置４００の外部記憶装置４０５の配信情報テーブルに一旦記憶されている配信情報、例えば、表７に示すテーブルを入出力部４０１で、例えば、光デスク等の記録媒体に一旦読出す。そして、列車の乗務員あるいは駅員がこの光デスク等の記録媒体を列車内に持込み、車内情報サーバ１０１の読取部６０５で読取り、記録サーバ６０４に記憶することで同様な情報配信を行うこともできる。但し、お天気情報、運行情報、ニュース等の配信情報は、時々刻々変化するので、管理センタ３０１から最新の情報を送信するほうが良いことはいうまでもない。
【００６１】
次に、上述した実施例で、表示装置１０３で表示する画面を１画面にしたり、２画面にしたりする方法について図１０〜図１３を用いて以下説明する。まず、配信情報を１画面にしたり、２画面にしたりするには、外部記憶装置４０５に蓄積されている配信情報を前もって画像処理し、加工することが必要である。この画像処理、加工は、情報サーバ装置４００の画像処理部４０９で行われる。この画像処理部４０９の概略構成のブロック図を図１０に示す。図１０において、１００１は、画像処理、加工すべき配信情報の入力端子であり、本実施例の場合、外部記憶装置４０５の配信情報４１２に記憶されているデータが入力される。このデータは、一般的にアナログデータである。入力端子１００１に入力されたアナログデータは、Ａ／Ｄ変換部１００２でデジタルデータに変換され、画像変換部１００３に入力される。
【００６２】
画像変換部１００３では、所定の画像変換がなされ、１画面表示の配信情報は、１画面記憶部１００６に記憶され、２画面表示の配信情報は、２画面記憶部１００７に記憶される。そして、先に説明した表示装置１０３の表示画面１０５に１画面表示の配信情報を表示するか、２画面表示の配信情報を表示するかに従って操作者が操作表示部１００５を操作し、制御部１００４の制御に従って選択部１００８を駆動し、出力端子１００９から１画面表示の配信情報あるいは２画面表示の配信情報を出力し、この出力信号が配信情報テーブル４１１に蓄積される。即ち、表７に示されるデータＤＡとなる。
【００６３】
ここで、画像変換部１００３について説明する。なお、画像変換部１００３は、例えば、ＦＰＧＡ（Field Programmable Gate Array）で構成することができる。まず、本発明で使用する表示装置１０３の表示部１０５としては、例えば、高精細の液晶ディスプレイを用い、配信情報としては、従来のＮＴＳＣ方式の映像データを用いるものとして説明する。図１１は、例えば、従来のＮＴＳＣ方式の画像をデジタル変換した画面を示しており、例えば、走査線としては５２５ラインで、画素数は、５２５画素×７００画素とする。また、図１２は、高精細の液晶ディスプレイを示し、例えば、走査線は、１２３６ライン、画素数は、１２３６画素×１６２８画素である。なお、本実施例は、一例であり、これに限られるものではない。
【００６４】
而して、図１１に示す画面は、例えば、配信情報であり、この配信情報を図１２に示す高精細の液晶ディスプレイに２画面表示する場合について説明する。図１２において、１２０１は、例えば、運行情報の表示画面、１２０２は、例えば、お天気情報の表示画面を示す。このように高精細の液晶ディスプレイに２画面表示する場合、運行情報の表示画面１２０１は、例えば、Ｐ１、Ｐ２、Ｐ５、Ｐ６で囲まれる表示部分に割当てる。そのためには、運行情報の表示画面１２０１を横方向Ｐ１：７７番目の画素〜Ｐ２：７７６番目の画素に、そして縦方向Ｐ５：３５６番目の画素〜Ｐ６：８８０番目の画素に割り付けることで実現できる。また、お天気情報の表示画面１２０２は、例えば、Ｐ３、Ｐ４、Ｐ５、Ｐ６で囲まれる表示部分に割当てる。そのためには、お天気情報の表示画面１２０２を横方向Ｐ３：８５３番目の画素〜Ｐ４：１５５２番目の画素に、そして縦方向Ｐ５：３５６番目の画素〜Ｐ６：８８０番目の画素に割り付けることで実現できる。このように画像変換部１００３で画素の変換を行うことで、高精細の液晶ディスプレイに２画面表示することができる。
【００６５】
次に、高精細の液晶ディスプレイに１画面表示する場合について説明する。図１３は、図１１に示す、例えば、従来のＮＴＳＣ方式の画像をデジタル変換した画面を示しており、例えば、走査線５２５ラインで、画素数５２５画素×７００画素の画面を高精細の液晶ディスプレイ画面１３０１に表示する場合を示している。この場合、図１１に示す画素数５２５画素×７００画素の画面を約２．３倍に拡大した画面１３０２として表示した場合について示してある。このようにすると、画面が大きくでき、文字表示等の情報が見易くなり、乗客に対してのサービスが向上する。なお、上記説明では、簡単のためにＮＴＳＣ方式の画像をデジタル変換して説明したが、アナログ方式であっても同様な処理をすることで実現は可能である。
【００６６】
次に、本発明の他の一実施例について、図１４、図１５を用いて説明する。図１４において、１４０１−１、１４０１−２、１４０１−３、・・・は、車両内表示装置を示す。なお、表示装置を代表する場合は、表示装置１４０１と称する。１４０２−１、１４０２−２、１４０２−３、・・・は、表示装置１４０１の制御部である。なお、制御部を代表する場合は、制御部１４０２と称する。１４０３−１、１４０３−２、・・・１４０３−６、・・・は、表示部である。なお、表示部を代表する場合は、表示部１４０３と称する。本実施例では、表示装置１４０１の各々は、２つの表示部１４０３、例えば、表示部１４０３−１、１４０３−２というようにペアーの表示部で構成されている。そして、このようなペアーの表示部からなる表示装置１４０１が、例えば、図１（Ｂ）で示すような車両のドアの上部に配置されている。なお、図１と同じものには同じ符号が付されている。この図１４では、各表示部１４０３は、１つの表示部で構成され、例えば、従来のＮＴＳＣ方式の画像データを表示するような液晶ディスプレイで構成することができる。
【００６７】
図１５は、図１４で示される移動体内情報配信システムの情報配信の方法を説明するための図である。図１５において、１５０１−１、１５０１−２、・・・１５０１−８は、それぞれ図１４に示される表示部１４０３−１、１４０３−２、・・・に対応する。なお、図２と同じものには同じ符号が付されている。図１５は、図２（Ａ）で説明したと同様の配信情報編集画面である。
【００６８】
管理センタ３０１の操作者は、情報サーバ装置４００の表示部４０３に図１５に示す配信情報編集画面を表示し、そして、入出力部４０１を操作して先に説明した表６に示す列車番号Ｘ１００１の表示管理テーブルと同様なテーブルを作成し、このテーブルを参照し、例えば、１号車の各表示画面１５０１に、先の実施例で説明したように、前もって決められている配信情報に従って、表２〜表５に示す配信コード番号を入力する。入力方法は、例えば、キーボードからコード番号を入力することもできるが、マウスでドラッグ＆ドロップ操作により入力することもできる。このようにすると、車両番号Ｘ１００１の表示画面１５０１−１、１５０１−２、・・・１５０１−８（それぞれ表示部１４０３−１、１４０３−２、・・・に対応する。）にコード番号を入力した状態となる。そして、例えば、１号車から１０号車までの全ての表示画面１５０１への入力が完了すると、決定ボタン２０７を押下することで、確定する。本実施例の場合は、先の実施例のように表示部に１画面を表示したり、２画面を表示したりするような画像処理、加工をする必要がないので、情報サーバ装置４００の画像処理部４０９の機能を使用する必要はない。また、上記のようにして各表示部１５０１に割り付けられた配信情報を各列車の表示装置１４０１の表示部１４０３に配信する方法については、先の実施例で説明したのと同じであるので、詳細な説明は省略する。
【００６９】
以上、本発明について詳細に説明したが、本発明では、移動体内情報配信システムを複数用いることなく、また、１つの表示部でも、画面を分割した複合的な情報配信を行うことが可能となる。即ち、１つの表示部には、広告情報のみを表示し、他の表示部には、運行情報とお天気情報を２画面で表示する。あるいは、更に他の表示部には、列車の運行情報と広告情報を２画面で表示するといったように、画面を分割して複合的な情報配信を行うことが出来る。更に、例えば、第１車両が女性専用車両であれば、第１車両内の表示部の広告情報には、女性向けの広告情報等を表示し、それ以外の車両の表示部には、通常の広情報等を表示するといった使い方をすることが可能となり、ニーズやサービスの多様化に容易に対応できる配信情報が配信できる移動体内情報配信システムを実現できる特徴がある。
【００７０】
以上、本発明について詳細に説明したが、本発明は、ここに記載された移動体内情報配信システムの実施例に限定されるものではなく、上記以外の移動体内情報配信システムに広く適応することが出来ることは、いうまでもない。
【図面の簡単な説明】
【００７１】
【図１】本発明の一実施例の概略構成のブロック図を示す。
【図２】本発明の一実施例の配信情報の割付を説明するための図である。
【図３】本発明が適用される一実施例の列車表示システムを説明するための図である。
【図４】本発明で用いられる情報サーバ装置の概略構成のブロック図を示す。
【図５】本発明で用いられる無線中継局の概略構成のブロック図を示す。
【図６】本発明で用いられる車内情報サーバの概略構成のブロック図を示す。
【図７】本発明で用いられる車両内表示装置の概略構成のブロック図を示す。
【図８】従来の移動体内情報配信システムの一例を示す図である。
【図９】従来の移動体内情報配信システムを列車内に設置した一例を示す図である。
【図１０】本発明で用いられる画像処理部の概略構成のブロック図を示す。
【図１１】ＮＴＳＣ方式の配信情報の表示画像の一例を示す図である。
【図１２】本発明で用いられる高精細の液晶ディスプレイ画面の一実施例を示す図である。
【図１３】本発明で用いられる高精細の液晶ディスプレイ画面の他の一実施例を示す図である。
【図１４】本発明の他の一実施例の概略構成のブロック図を示す。
【図１５】本発明の他の一実施例の配信情報の割付を説明するための図である。
【符号の説明】
【００７２】
１０１：車内情報サーバ、１０２、３０２、８０３、９０６：伝送路、１０３、８０２、９０３、９０４、１４０１：表示装置、１０４、４０４、６０３、７０３、１００４、１４０２：制御部、１０５、４０３、１４０３：表示部、１１０、９０１：車両、１１１：乗務員室、１１２、９０５：車両のドア、２０１：配信情報編集画面、３０１：管理センタ、３０３：無線中継局、３０４：列車の線路、３０５：列車、４００：情報サーバ装置、４０１：入出力部、４０２、４０７、５０２、６０７、７０２：回線接続部、４０５：外部記憶装置、４０６：記憶装置、４０８、５０１、６０８、７０１：入出力端子、４０９：画像処理部、４１０：管理テーブル、４１１：配信情報テーブル、４１２：配信情報、４１３：コンテンツ管理部、４１４：表示処理部、４１５：スケジューリング部、４１６：広告予約部、５０３：中継制御部、５０４：中継記憶部、５０５、６０２：無線送受信部、５０６、６０１：アンテナ、６０４：記録サーバ、６０５：読取部、６０６、１００５：操作表示部、７０４：記憶部、８０１、９０２：ＣＤドライブ、１００１：入力端子、１００２：Ａ／Ｄ変換部、１００３：画像変換部、１００６：１画面記憶部、１００７：２画面記憶部、１００８：選択部、１００９：出力端子。
【図１】
2008160204.tif 000011
【図２】
2008160204.tif 000012
【図３】
2008160204.tif 000013
【図４】
2008160204.tif 000014
【図５】
2008160204.tif 000015
【図６】
2008160204.tif 000016
【図７】
2008160204.tif 000017
【図８】
2008160204.tif 000018
【図９】
2008160204.tif 000019
【図１０】
2008160204.tif 000020
【図１１】
2008160204.tif 000021
【図１２】
2008160204.tif 000022
【図１３】
2008160204.tif 000023
【図１４】
2008160204.tif 000024
【図１５】
2008160204.tif 000025